(57)【特許請求の範囲】
【請求項１】
複数の画像を表示する表示装置であって、
前記複数の画像のうちの注目画像のデータに、前記注目画像が縮小された縮小注目画像と、前記注目画像に関連する関連画像が縮小された縮小関連画像のデータと、前記注目画像と前記関連画像との主従関係を示す関係情報とが付帯情報として含められた注目画像ファイルを入力する入力部と、
前記注目画像ファイルに前記縮小関連画像のデータが含まれていることを検出する付帯情報読取部と、
前記縮小関連画像の画像サイズをさらに縮小して縮小関連マークを生成する付帯情報抽出部と、
前記関連画像が前記注目画像に対して主に位置付けられている場合に、前記縮小関連マークが前記縮小注目画像の上に配置され、前記関連画像が前記注目画像に対して従に位置付けられている場合に、前記縮小関連マークが前記縮小注目画像の下に配置された表示データを作成する表示データ作成部と、
前記表示データを表示するデータ表示部と
を備える表示装置。
【請求項２】
前記注目画像ファイルから前記注目画像のデータを抽出する画像抽出部
をさらに備え、
前記付帯情報抽出部は、前記注目画像ファイルから前記縮小関連画像のデータを抽出する請求項１に記載の表示装置。
【請求項３】
前記付帯情報読取部は、前記関係情報を読み取る手段を有する請求項１または請求項２に記載の表示装置。
【請求項４】
複数の画像を表示する表示方法であって、
前記複数の画像のうちの注目画像のデータに、前記注目画像が縮小された縮小注目画像と、前記注目画像に関連する関連画像が縮小された縮小関連画像のデータと、前記注目画像と前記関連画像との主従関係を示す関係情報とが付帯情報として含められた注目画像ファイルを入力する段階と、
前記注目画像ファイルに前記縮小関連画像のデータが含まれていることを検出する段階と、
前記縮小関連画像の画像サイズをさらに縮小して縮小関連マークを生成する段階と、
前記関連画像が前記注目画像に対して主に位置付けられている場合に、前記縮小関連マークが前記縮小注目画像の上に配置され、前記関連画像が前記注目画像に対して従に位置付けられている場合に、前記縮小関連マークが前記縮小注目画像の下に配置された表示データを作成する段階と、
前記表示データを表示する段階と
を備える表示方法。
【請求項５】
前記注目画像ファイルから、前記注目画像と前記関連画像との関係を示す関係情報を読み取る段階
をさらに備える請求項４に記載の表示方法。
【請求項６】
複数の画像を表示するプログラムを記録したコンピュータ読み取り可能な記録媒体であって、
前記コンピュータを、
前記複数の画像のうちの注目画像のデータに、前記注目画像が縮小された縮小注目画像と、前記注目画像に関連する関連画像が縮小された縮小関連画像のデータと、前記注目画像と前記関連画像との主従関係を示す関係情報とが付帯情報として含められた注目画像ファイルを入力する入力部、
前記注目画像ファイルに、前記縮小関連画像のデータが含まれていることを検出する付帯情報読取部、
前記縮小関連画像の画像サイズをさらに縮小して縮小関連マークを生成する付帯情報抽出部、
前記関連画像が前記注目画像に対して主に位置付けられている場合に、前記縮小関連マークが前記縮小注目画像の上に配置され、前記関連画像が前記注目画像に対して従に位置付けられている場合に、前記縮小関連マークが前記縮小注目画像の下に配置された表示データを作成する表示データ作成部
として機能させるためのプログラムを記録したコンピュータ読み取り可能な記録媒体。
【請求項７】
前記コンピュータを、
前記注目画像ファイルから前記注目画像のデータを抽出する画像抽出部
としてさらに機能させ、
前記付帯情報抽出部は、前記注目画像ファイルから前記縮小関連画像のデータを抽出する請求項６に記載のプログラムを記録したコンピュータ読み取り可能な記録媒体。
【発明の詳細な説明】
【０００１】
【発明の属する技術分野】
本発明は、記録装置、画像処理装置、表示装置、記録方法、表示方法及び記録媒体に関する。特に本発明は、撮影した画像のデータに撮影した画像のデータを含ませて画像ファイルを作成する記録装置及び画像ファイルのデータを表示する表示装置に関する。
【０００２】
【従来の技術】
デジタルカメラを用いた写真撮影は、何度も消去して書き込み可能な記録媒体に画像を記録する方式であることから、撮影者は気軽に多数の写真を撮影できる。特に近年の記録媒体の大容量化により、撮影可能枚数は次第に増加している。このように、撮影された多数の画像をコンピュータのモニタ画面等に表示させると画像間の関係が煩雑になり、閲覧者が、画像間の対応関係を把握するのは難しい。これらの問題を解決するために、画像を予め関連付けて記録する方法がある。
【０００３】
従来、撮影した画像を関連付けて記録する方法として、特開平７−２９５８７３号（公開日平成７年１１月１０日）は、グループ化されている複数の画像ファイルをファイル名によって関連付けて記録する方法を開示している。また、特開平１０−１６４４８４号（公開日平成１０年６月１９日）は、メイン画像、サブ画像及び音声等の情報のように同時に記録された情報をファイル名によって関連付けて記録する方法を開示している。
【０００４】
【発明が解決しようとする課題】
しかし、これらの記録方法は、いずれもファイル名のように後から変更され得るデータによって画像を関連付けている。従って、ファイル名が変更されると画像と付帯情報との整合がとれなくなってしまうといった問題点を有する。複数の画像をモニタ表示する場合、例えば、関連する画像のファイル名を画像とともに表示しても、閲覧者は、そのファイル名がいずれの画像を示すのかを把握しにくい。従って、閲覧者は、表示された画像がいずれの画像と関連するのかを知ることができない。
【０００５】
そこで本発明は、上記の課題を解決することのできる記録装置、画像処理装置、表示装置、記録方法、表示方法及び記録媒体を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、撮影した画像を記録する記録装置であって、複数の前記画像を入力する撮影部と、複数の前記画像に含まれる１つの注目画像に関連する関連画像を複数の前記画像から指定する関連画像指定部と、前記関連画像の画像サイズを縮小して縮小関連画像のデータを生成する縮小画像生成部と、前記注目画像のデータに前記縮小関連画像のデータを付帯情報として含めて前記注目画像の注目画像ファイルを作成する画像ファイル作成部と、前記注目画像ファイルを記録する記録部とを備える。
【０００７】
複数の前記画像を一覧表示する画像表示部と、前記一覧表示された前記画像から前記注目画像を指定する注目画像指定部とをさらに備えてもよい。前記縮小画像生成部は、前記注目画像から縮小注目画像のデータを生成する手段を有してもよく、前記画像ファイル作成部は、前記注目画像のデータに、前記縮小関連画像のデータ及び前記縮小注目画像のデータを前記付帯情報として含めて前記注目画像ファイルを作成する手段を有してもよい。
【０００８】
前記画像ファイル作成部は、前記縮小注目画像のデータと前記縮小関連画像のデータとを識別可能に、前記注目画像ファイルに含める手段をさらに有してもよい。
【０００９】
操作者の操作により、所定の指示信号を出力する選択入力部をさらに有してもよく、操作者が前記選択入力部を操作して前記注目画像と前記関連画像との間に主従関係を与えるときに、前記関連画像指定部は、前記注目画像と前記関連画像とが前記主従関係を有することを示す関係情報を生成する手段を有してもよく、前記画像ファイル作成部は、前記縮小関連画像データと共に、前記関係情報をさらに前記付帯情報として前記画像ファイルに含める手段をさらに有してもよい。
【００１０】
前記画像ファイル作成部は、前記縮小関連画像のデータと共に、前記縮小関連画像がいずれの前記画像を縮小して生成した画像かを示す識別情報をさらに前記付帯情報として前記画像ファイルに含める手段をさらに有してもよい。
【００１１】
本発明の第２の形態においては、撮影した画像を記録する記録方法であって、複数の前記画像を入力する段階と、複数の前記画像のうちの１つの注目画像に関連する関連画像を複数の前記画像から指定する段階と、前記関連画像の画像サイズを縮小して縮小関連画像のデータを生成する段階と、前記注目画像のデータに前記縮小関連画像のデータを付帯情報として含めて前記注目画像の注目画像ファイルを作成する段階と、前記注目画像ファイルを記録する段階とを備える。
【００１２】
本発明の第３の形態においては、画像を表示する表示装置であって、前記画像のデータに、前記画像に関連する関連画像を縮小した縮小関連画像のデータを付帯情報として含めた画像ファイルを入力する入力部と、前記画像ファイルに前記縮小関連画像のデータが含まれることを検出する付帯情報読取部と、前記画像ファイルに前記縮小関連画像のデータが含まれることを表す表示データを生成する表示データ作成部と、前記表示データを表示するデータ表示部とを備える。
【００１３】
前記画像ファイルから前記画像のデータを抽出する画像抽出部と、前記画像ファイルから前記縮小関連画像のデータを抽出する付帯情報抽出部とをさらに備えてもよい。前記表示データ作成部は、前記画像を前記縮小関連画像と共に表す表示データを作成する手段を有してもよい。
【００１４】
前記入力部は、前記関連画像と前記画像との関係を示す関係情報をさらに前記付帯情報として含む前記画像ファイルを入力する手段を有してもよく、前記付帯情報読取部は、前記関係情報を読み取る手段を有してもよく、前記表示データ作成部は、前記縮小関連画像の配置によって前記関係情報を表示する前記表示データを生成する手段を有してもよい。
【００１５】
前記入力部は、前記関連画像が前記画像に対して主従関係を有することを示す前記関係情報を前記付帯情報として含む前記画像ファイルを入力する手段をさらに有してもよく、前記表示データ作成部は、前記縮小関連画像の配置によって前記関連画像が前記画像に対して前記主従関係を有することを表示する前記表示データを生成する手段を有してもよい。
【００１６】
本発明の第４の形態においては、画像を表示する表示方法であって、前記画像のデータに、前記画像に関連する関連画像を縮小した縮小関連画像のデータを含めた画像ファイルを入力する段階と、前記画像ファイルに前記縮小関連画像のデータが含まれることを検出する段階と、前記画像ファイルに前記縮小関連画像のデータが含まれることを表す表示データを生成する段階と、前記表示データを表示する段階とを備える。
【００１７】
前記画像ファイルから、前記画像と前記関連画像との関係を示す関係情報を読み取る段階と、前記縮小連画像の配置によって前記関係情報を表示する前記表示データを生成する段階とをさらに備えてもよい。
【００１８】
本発明の第５の形態においては、画像を表示するプログラムを記録したコンピュータ読み取り可能な記録媒体であって、前記プログラムが、前記画像のデータ及び前記画像の付帯情報を含む画像ファイルに、前記画像に関連する関連画像を縮小した縮小関連画像のデータが含まれることを検出するモジュールと、前記画像ファイルに前記縮小関連画像のデータが含まれることを表す表示データを生成するモジュールとを備える。
【００１９】
画像に関する情報を処理する画像処理装置であって、記録媒体から複数の前記画像を読み取る読取部と、前記読取部が読み取った複数の前記画像を一覧表示する画像表示部と、複数の前記画像に含まれる１つの注目画像に関連する関連画像を複数の前記画像から指定する関連画像指定部と、前記関連画像の画像サイズを縮小して縮小関連画像のデータを生成する縮小画像生成部と、前記注目画像のデータに前記縮小関連画像のデータを前記付帯情報として含めて前記注目画像の注目画像ファイルを作成する画像ファイル作成部とを備える。
【００２０】
なお上記の発明の概要は、本発明の必要な特徴の全てを列挙したものではなく、これらの特徴群のサブコンビネーションも又発明となりうる。
【００２１】
【発明の実施の形態】
以下、発明の実施の形態を通じて本発明を説明するが、以下の実施形態はクレームにかかる発明を限定するものではなく、又実施形態の中で説明されている特徴の組み合わせの全てが発明の解決手段に必須であるとは限らない。
【００２２】
本発明の記録装置は、複数の画像に含まれる１つの注目画像に関連する画像の情報を含めた画像ファイルを生成する。画像ファイルには、関連画像の画像サイズを縮小した縮小関連画像を含める。
【００２３】
まず、図１に沿って本発明の第１実施形態を説明する。図１は、記録装置の一例として、デジタルカメラ１００の構成を示す。このデジタルカメラ１００は、撮影部１０とＡ／Ｄ変換器１８とバッファメモリ２０と処理部３０と画像表示部２２と記録部２６と選択入力部２４とを備える。
【００２４】
撮影部１０は、レンズ１２と絞り１４とＣＣＤ（Charge coupled device:電荷結合素子）１６とを有する。レンズ１２は被写体の像を結像し、絞り１４は光量を絞る。ＣＣＤ１６はレンズ１２によって結像された被写体の像を光の情報として受けて、電気信号に変換する。Ａ／Ｄ変換器１８は受け取ったアナログ信号をデジタル信号に変換し、バッファメモリ２０に出力する。バッファメモリ２０は、デジタル信号として受け取った被写体の画像を一時的に格納する。
【００２５】
制御部４４は、撮影部１０に対し撮影動作を制御する。即ち、処理部３０は、レンズ１２のズームとフォーカス、絞り１４の絞り量や露光時間、およびＣＣＤ１６の信号出力のうち少なくとも一つを制御する。制御部４４は、、レンズ１２のズームとフォーカス、絞り１４の絞り量や露光時間を撮影条件としてバッファメモリ２０へ送ってもよい。
【００２６】
処理部３０は、バッファメモリ２０に格納された複数の画像から処理の対象となる注目画像を抽出する。処理部３０は、注目画像のデータに所定の付帯情報を含ませて注目画像ファイルを作成する。処理部３０は、注目画像に関連する関連画像の画像サイズを縮小して縮小関連画像を生成する。処理部３０は、注目画像ファイルに縮小関連画像のデータを付帯情報として含ませる。ここでいう縮小関連画像は、関連画像を縮小したいわゆるサムネイルであってもよい。処理部３０は、選択入力部２４から指示信号を受け取り、指示信号に基づいてバッファメモリ２０から注目画像及び関連画像を抽出する。処理部３０は、バッファメモリ２０からさらに撮影条件を抽出してもよい。選択入力部２４は、操作者からの入力によって、注目画像若しくは関連画像を選択する指示情報及び注目画像と関連画像との間の関係を指す関係情報を指示信号として処理部３０に送る。
【００２７】
画像表示部２２は、処理部３０から受け取った被写体の画像を表示する。画像表示部２２は、処理部３０から受け取った複数の画像を一覧表示する。画像表示部２２としては、例えば画像及び文字を画面表示するカメラ内蔵型の液晶モニタ等が考えられる。
【００２８】
記録部２６は、処理部３０から受け取った注目画像ファイルを記録媒体に記録する。記録媒体としては、メモリーカード等の着脱自在な不揮発性の半導体メモリ、フロッピーディスク等の着脱自在な磁気記録媒体等を用いてもよい。メモリカードとしては、例えばＥＥＰＲＯＭ（Electrically Erasable Programmable Read-Only Memory）のように電気的にデータを読み書き可能な媒体が用いられる。記録部２６としては、メモリカードドライブ、フロッピードライブ等が用いられる。
【００２９】
図２は、処理部３０の機能ブロック図である。注目画像指定部３２と関連画像指定部３４とファイル名付与部３６と縮小画像生成部３８と画像ファイル作成部４０と表示処理部４２と撮影制御部４４とを有する。撮影制御部４４は、レンズ１２によるズームとフォーカス、絞り１４による絞り量や露光時間、及びＣＣＤ１６による信号出力を制御する。表示処理部４２は、バッファメモリ２０から画像を受け取って、画像表示部２２に表示させる表示データを生成する。表示処理部４２は、バッファメモリ２０に格納された複数の画像を一覧表示する一覧表示データを生成して画像表示部２２に送る。表示処理部４２は、画像表示部２２に所定の情報を文字表示させる表示データを生成してもよい。
【００３０】
操作者は、一覧表示画面を見て複数の画像から１つの注目画像及び当該注目画像に関連する関連画像を選び、その情報を選択入力部２４へ入力する。注目画像指定部３２は、選択入力部２４から受け取った指示信号が指示する画像を注目画像としてバッファメモリ２０から抽出する。注目画像指定部３２は、さらに注目画像を撮影したときの撮影条件を抽出してもよい。関連画像指定部３４は、選択入力部２４から受け取った指示信号が指示する画像を関連画像としてバッファメモリ２０から抽出する。関連画像指定部３４は、さらに関連画像を撮影したときの撮影条件を抽出してもよい。
【００３１】
関連画像指定部３４は、選択入力部２４から注目画像と関連画像との間の関係を示す関係情報を受け取る。注目画像と関連画像との関係としては、例えば、両者の間に主従関係を持たせてもよい。この場合、関連画像を注目画像に対して「主」と位置付けてもよく、関連画像を注目画像に対して「従」と位置付けてもよい。具体的には、建物の外観写真と内部写真、全体写真と部分写真、親の写真と子の写真のように、一定の関係を有する写真に主従関係を持たせたてもよい。他の形態としては、注目画像と関連画像との関係を対等な関係にしてもよい。
【００３２】
ファイル名付与部３６は、注目画像指定部３２及び関連画像指定部３４が抽出した注目画像及び関連画像にファイル名を与える。ファイル名付与部３６は、ファイル名とは別に固有の番号を付与してもよい。縮小画像生成部３８は、入力された注目画像及び関連画像の画像サイズを縮小して縮小注目画像及び縮小関連画像を生成する。縮小画像生成部３８は、縮小注目画像及び縮小関連画像がいずれの注目画像及び関連画像を縮小した画像であるかを示す識別情報を生成する。縮小画像生成部３８は、識別情報として、例えば、注目画像及び関連画像のファイル名を用いてもよい。また、例えば、縮小画像生成部３８は、識別情報として固有の番号を用いてもよい。
【００３３】
画像ファイル作成部４０は、縮小画像生成部３８によって生成された縮小注目画像のデータ及び縮小関連画像のデータを付帯情報として注目画像のデータに含ませて注目画像ファイルを作成する。このように、本実施形態においては、関連画像の画像内容を示すデータとして縮小関連画像を注目画像に付帯させている。従って、関連画像の画像内容に著しい修正が加えられない限り、縮小関連画像は関連画像の内容を示すこととなる。この点、ファイル名を用いて関連付けする従来と比べて、関連付けの整合を保ちやすくすることができる。
【００３４】
画像ファイル作成部４０は、関係情報及び識別情報を付帯情報として注目画像ファイルに含ませてもよい。これによって、縮小関連画像と当該縮小関連画像が示す関連画像との関連を保つことができる。
【００３５】
図３は、撮影された複数の画像の関係を示す。複数の画像の関係の一例として、本図を用いて、工事現場を撮影した工事写真における関係を説明する。図に示される５つの写真は、上段が工事現場の全体写真、中段は上段に示した全体写真の部分写真、下段は中段に示した部分写真の部分写真である。このように画像間の関係が包含関係のように一定の関係を有する場合は、画像間の関係をツリー構造で表せる。ツリー構造中の各枝で結ばれた２つの写真の間の関係は、主従関係とみなすことができる。例えば、本図のうち、中段に示す画像を注目画像９０として中心に見た場合、関連画像９２ａは注目画像９０を一部として含む全体写真であるから、関連画像９２ａは注目画像９０に対して「主」と位置付けることができる。また、関連画像９２ｂ，ｃは注目画像９０の一部に含まれる部分画像であるから、関連画像９２ｂ，ｃは注目画像９０に対して「従」と位置付けることができる。すなわち、注目画像９０のデータに、関連画像９２ａ〜ｃの縮小関連画像のデータ、及び関連画像９２ａ〜ｃが注目画像９０に対して「主」又は「従」と位置付けられることを示す関係情報を付帯させた注目画像ファイルが作成される。
【００３６】
図４は、デジタルカメラ１００の背面図である。デジタルカメラ１００は、背面に、選択入力部２４としてモード設定ダイヤル１０２と選択ボタン１０４と実行ボタン１０６とキャンセルボタン１０８とメニューボタン１１０と画像表示部２２とを有する。モード設定ダイヤル１０２が出力する指示信号は、カメラ動作のモードを切り換えることを示す。カメラ動作のモードとしては、撮影を行う撮影モード、撮影した画像を１画像ずつ表示する再生表示モード、及び撮影した複数の画像を一覧表示する一覧表示モードがある。一覧表示モードにおいて、メニューボタン１１０が出力する指示信号は、画像表示部２２にメニュー画面を表示させることを示す。メニュー画面には、命令のメニューとして注目画像を選択する命令と関連画像を選択する関連画像を選択する命令とが表示される。表示処理部４２は、メニュー内容を文字で表示する表示データを生成してもよい。
【００３７】
選択ボタン１０４が出力する信号は、一覧表示された画像のうちの１つを強調表示させることを示す。実行ボタン１０６が出力する指示信号は、命令又は選択を実行させることを示す。キャンセルボタン１０８が出力する指示信号は、選択又は実行の取り消しを示す。操作者は、モード設定ダイヤル１０２と選択ボタン１０４と実行ボタン１０６とキャンセルボタン１０８とメニューボタン１１０とを操作することによって、選択入力部２４に所望の情報を入力することができる。
【００３８】
図５は、画像表示部２２によって表示された一覧表示モードの画面を示す。モード設定ダイヤル１０２によって、一覧表示モードが指定されると、画像表示部２２は、画面を分割して、バッファメモリ２０に格納された複数の画像を一覧表示する。画面の分割方法は、４分割でも、９分割でもよい。また、バッファメモリ２０に格納された画像の数が１画面に表示可能な数よりも多い場合は、複数の画面にわたって全画像を表示してもよい。この場合、操作者は、選択ボタン１０４を操作して複数の画面を切り換えることによって、全画像を閲覧することができる。これによって、閲覧者は、撮影された複数の画像をまとめて閲覧することができる。閲覧者は、表示された複数の画像から画像を選択することができる。
【００３９】
注目画像を選択する場合、操作者はモード設定ダイヤル１０２を操作して、画像表示部２２に一覧表示画面を表示させる。次に、操作者はメニューボタン１１０を押して注目画像の選択命令を入力すると、画像指定枠１１４が画面左上の画像の周囲に表示される。次に、操作者は、選択ボタン１０４を上下左右に操作することによって、画像指定枠１１４を移動させる。操作者が実行ボタン１０６を押すと、指示信号によって画像が選択され注目画像として処理部３０へ送られる。選択操作を取り消す場合には、キャンセルボタン１０８を押す。同様にして、操作者は、関連画像を選択することができる。画像指定枠１１４の色は、各メニューごとに異なっていてもよい。例えば、注目画像の選択には赤色、関連画像の選択には青色の画像指定枠１１４であってもよい。
【００４０】
図６は、本実施形態のデジタルカメラ１００における画像記録方法を示すフローチャートである。図６を用いて、関連画像が注目画像に対して「主」に位置付けられた関係及び「従」に位置付けられた関係にある場合の画像記録方法を説明する。デジタルカメラ１００の動作開始後、撮影部１０が画像を撮影する（Ｓ１００）。撮影された画像は、一時的にバッファメモリ２０に格納される。操作者によって一覧表示モードが指定されると、処理部３０は、バッファメモリ２０に格納された複数の画像を画像表示部２２に一覧表示させる（Ｓ１０２）。次に、処理部３０は、選択入力部２４から受け取った指示信号に基づいて、一つの注目画像及び当該注目画像に関連する関連画像を選択する（Ｓ１０４）。次に、処理部３０は、注目画像のデータに縮小関連画像のデータを付帯させて注目画像ファイルを作成する（Ｓ１０６）。次に、記録部２６は、注目画像ファイルを記録媒体に記録する（Ｓ１０８）。
【００４１】
図７は、図６の画像選択段階（Ｓ１０４）における選択入力部２４の詳細な動作を示すフローチャートである。選択入力部２４は、操作者によって入力された注目画像を選択する指示を受け取って指示信号として注目画像指定部３２へ送る（Ｓ１２０）。次に、選択入力部２４は、注目画像に対して「主」と位置付けられる関連画像を選択する指示を受け取って指示信号として関連画像指定部３４へ送る（Ｓ１２２）。次に、関連画像が注目画像に対して「主」と位置付けられること示す関係情報が関連画像指定部３４に送られる（Ｓ１２４）。注目画像に対して「従」と位置付けられる関連画像を選択する場合（Ｓ１２６）は、Ｓ１２２〜Ｓ１２６を繰り返す。関連する画像を全て選択するまで、Ｓ１２２〜Ｓ１２６を繰り返す。
【００４２】
図８は、図６の画像ファイル作成段階（Ｓ１０６）における処理部３０の詳細な動作を示すフローチャートである。ファイル名付与部３６は、注目画像指定部３２と関連画像指定部３４がバッファメモリ２０から抽出した注目画像及び関連画像に対してそれぞれファイル名を与える（Ｓ１３０）。次に、縮小画像生成部３８は、注目画像の画像サイズを縮小して、縮小注目画像を生成する（Ｓ１３２）。次に、縮小画像生成部３８は、関連画像の画像サイズを縮小して、縮小関連画像を生成する（Ｓ１３４）。次に、縮小画像生成部３８は、縮小画像がいずれの画像を縮小した画像であるかを示す識別情報を生成する（Ｓ１３６）。画像ファイル作成部４０は、縮小注目画像、縮小関連画像、関係情報、及び識別情報を注目画像のデータに付帯情報として含めて注目画像ファイルを生成する（Ｓ１３８）。
【００４３】
図９は、注目画像ファイルのデータ構造を示す。注目画像ファイルは、付帯情報部と注目画像データ部とを有する。注目画像データ部には、注目画像のデータが含まれている。付帯情報部には、付帯情報として縮小注目画像のデータ、縮小関連画像のデータ、識別情報、及び関係情報が含まれる。付帯情報部に縮小注目画像のデータと縮小関連画像のデータとを識別可能に含ませておいてもよい。注目画像ファイルは、さらに撮影月日、撮影条件などの情報を付帯情報として含んでもよい。
【００４４】
次に本発明の第２実施形態における表示装置２００を説明する。この表示装置２００は、記録媒体に記録された画像ファイルを読み取って表示する。画像ファイルには、画像データと、その付帯情報としての縮小画像とが含まれている。
【００４５】
図１０は、本実施形態における表示装置２００の構成図である。表示装置２００は、入力部６０とデータ処理部７０とデータ表示部６２と画像選択入力部６４とを備える。入力部６０は、デジタルカメラ１００の記録部２６によって注目画像ファイルが記録された記録媒体から、注目画像ファイルを読み込んで入力する。記録媒体としては、メモリーカード等の着脱自在な不揮発性の半導体メモリ、フロッピーディスク等の磁気記録媒体等がある。入力部６０としては、メモリカードドライブ、フロッピードライブ等がある。また、他の形態としては、デジタルカメラ１００と入力部６０とをＵＳＢ（Universal Serial Bus）ケーブルまたはシリアルケーブル等のケーブルで接続し、デジタルカメラ１００に装着した記録媒体から読み込んでもよい。
【００４６】
データ処理部７０は、入力部６０によって入力された注目画像ファイルから注目画像のデータ及び縮小関連画像のデータを抽出してデータ表示部６２に表示させる表示データを作成する。データ処理部７０は、さらに所定の指示情報に基づいて、データ表示部６２に表示させる表示データを切り換える。データ表示部６２は、データ処理部７０から受け取った表示データを表示する。データ表示部６２としては、画像を画面表示するモニタ等がある。画像選択入力部６４は、操作者により入力された所定の指示をデータ処理部７０へ送る。
【００４７】
図１１は、データ処理部７０の機能ブロック図である。補助記憶部７２と指示部７４と画像抽出部７８と付帯情報読取部８０と付帯情報抽出部８２と表示フォーマット記憶部８４と表示データ作成部８６とを有する。補助記憶部７２は、入力部６０によって入力された注目画像ファイルを格納する。指示部７４は、画像選択入力部６４を介して操作者から入力された指示に基づいて、補助記憶部７２及び表示データ作成部８６へ所定の指示情報を送る。指示部７４は、操作者が指定する注目画像ファイルを、補助記憶部７２に格納された複数の注目画像ファイルから取り出して画像抽出部７８及び付帯情報読取部８０へ送る。画像抽出部７８は、受け取った注目画像ファイルから注目画像を抽出する。
【００４８】
付帯情報読取部８０は、指示部７４から受け取った注目画像ファイルに含まれる付帯情報を読み取る。本実施形態における付帯情報には、縮小画像データ、縮小画像がいずれの画像から生成されたかを示す識別情報、及び注目画像と関連画像との関係を示す関係情報が含まれる。付帯情報読取部８０は、注目画像ファイルの付帯情報に縮小関連画像のデータが含まれることを検出する。識別情報及び関係情報を読み取って付帯情報抽出部８２へ送る。
【００４９】
付帯情報読取部８０が注目画像ファイルから縮小関連画像のデータを検出した場合、付帯情報抽出部８２は縮小関連画像を抽出する。付帯情報抽出部８２は、縮小関連画像の画像サイズをさらに縮小して縮小関連マークを生成してもよい。
【００５０】
表示フォーマット記憶部８４は、所定の定形表示フォーマットを記憶する。定形表示フォーマットとしては、鑑賞用フォーマット及び一覧表示用フォーマットがある。鑑賞用フォーマットとは、１つの注目画像ファイルに含まれる注目画像及び縮小関連画像を関係情報に基づいて配置することによって注目画像と縮小関連画像との間の関係を示す表示形式である。一覧表示用フォーマットとは、補助記憶部７２に格納された複数の注目画像を並べて表示する表示形式である。表示フォーマット記憶部８４は、定形表示フォーマットの情報を記憶する。表示データ作成部８６は定形表示フォーマットに基づいて画像を配置した表示データを作成する。表示データ作成部８６は、指示部７４から受け取った指示情報に基づいてデータ表示部６２が表示する表示データを切り換える。これによって、閲覧者は、一覧表示用フォーマットの画面を表示させることによって、複数の画像を一度に一画面で閲覧することができる。閲覧者は、また鑑賞用フォーマットの画面を表示させることによって、複数の画像のうち１つの注目画像とその縮小関連画像とを画面全体に表示させて閲覧することができる。
【００５１】
図１２は、データ表示部６２によって表示される表示画面の一例を示す。本図に示す表示画面は、鑑賞用フォーマットに基づいて所定の画像を配置した表示データを表示する。鑑賞用フォーマットは、中心に注目画像を配置し、当該注目画像の上下に注目画像に対して「主」及び「従」に位置付けられる縮小画像を配置する形式であってもよい。これによって、閲覧者は、縮小関連画像の有無によって関連する画像があるかどうかを確認することができる。
【００５２】
鑑賞用フォーマットは、注目画像の上下に注目画像に対して「主」及び「従」に位置付けられる縮小関連画像をそれぞれ配置する形式であってもよい。例えば、縮小関連画像９２ａを注目画像９０の上に配置することによって、縮小関連画像９２ａが示す関連画像が注目画像９０に対して「主」に位置付けられることを表すことができる。縮小関連画像９２ｂ，ｃを注目画像９０の下に配置することによって、縮小関連画像９２ｂ，ｃが示す関連画像が注目画像９０に対して「従」に位置付けられることを表すことができる。注目画像と関連画像との間の主従関係を矢印を用いて表してもよい。例えば、矢印９８ａが縮小関連画像９２ａから注目画像９０に向いている場合、縮小関連画像９２ａが示す関連画像が注目画像９０に対して「主」に位置付けられることを表している。矢印９８ｂが、注目画像９０から関連画像へ向いている場合、縮小関連画像９２ｃが示す関連画像が注目画像９０に対して「従」に位置付けられることを表している。これによって、閲覧者は、縮小関連画像と注目画像との位置関係から関連画像と注目画像との間の関係を容易に把握することができる。
【００５３】
縮小関連画像がいずれの画像を縮小した画像であるかを示す識別情報が注目画像ファイルに含まれる場合、観賞用フォーマットは、識別情報をさらに配置する形式であってもよい。識別情報としては、例えば、注目画像及び関連画像のファイル名及び固有の番号を用いてもよい。また、操作者が選択入力部２４を介して画面に表示された縮小関連画像９２ａを選択すると、表示データ作成部８６は、選択された縮小関連画像９２ａを注目画像として中心に表示する表示データを新たに表示させてもよい。これによって、閲覧者は、縮小関連画像がいずれの画像を示す画像であるかをさらに容易に把握することができる。
【００５４】
図１３は、データ表示部６２によって表示される表示データの他の一例を示す。本図に示す表示画面は、一覧表示用フォーマットに基づいて所定の画像を配置した表示データを表示する。一覧表示用フォーマットは、複数の縮小注目画像を並べて配置し、縮小注目画像の上下に「主」又は「従」に位置付けられる関連画像の縮小関連マークをそれぞれ配置する形式であってもよい。例えば、縮小関連マーク９６ａを縮小注目画像の上に配置することによって、対応する関連画像が注目画像に対して「主」に位置付けられることを表すことができる。縮小関連マーク９６ｂ，ｃを縮小注目画像の下に配置することによって、対応する関連画像が注目画像に対して「従」に位置付けられることを表すことができる。縮小関連マークを表示する代わりに、縮小関連マーク以外の所定のマークを表示してもよい。例えば、注目画像のファイルに縮小関連画像のデータが含まれることを示す記号等のマークを表示させてもよい。これによって、閲覧者は、入力された複数の画像を同時に閲覧することができる。また、縮小関連マークの有無によって関連画像があるかどうかを確認することができる。縮小関連マークと縮小注目画像との位置関係から関連画像と注目画像との間の関係を把握することができる。
【００５５】
図１４は、表示装置２００における表示方法を示すフローチャートである。表示装置２００の動作開始後、入力部６０は、記録媒体から注目画像ファイルを読み取って入力する（Ｓ２００）。次に、データ処理部７０は、注目画像ファイルに含まれるデータを一覧表示データとして、データ表示部６２に表示させる（Ｓ２０２）。次に、操作者が、データ表示部６２に表示された画像から所望の画像を選択すると、画像選択入力部６４は選択されたこと示す指示情報をデータ処理部７０に送る（２０４）。次に、データ処理部７０は、注目画像ファイルに含まれるデータを鑑賞用データとして、データ表示部６２に表示させる（Ｓ２０６）。
【００５６】
図１５は、図１４の一覧表示データ表示段階（Ｓ２０２）におけるデータ処理部７０の詳細な動作を示すフローチャートである。付帯情報読取部８０は、注目画像ファイルから縮小関連画像のデータを検出し（Ｓ２２０）、注目画像と縮小画像との間の関係を示す関係情報を読み取る（Ｓ２２２）。次に、付帯情報抽出部８２は、縮小注目画像のデータ及び縮小関連画像を抽出し（Ｓ２２４）、縮小関連画像をさらに縮小して縮小画像マークを生成する（Ｓ２２６）。次に、表示データ作成部８６は、関係情報に基づいて縮小注目画像及び縮小関連マークを一覧表示用フォーマットに配置し、一覧表示用表示データを作成する（Ｓ２２８）。次に、表示データ作成部８６は、データ表示部６２に表示データを表示させる（Ｓ２３０）。
【００５７】
次に第３実施形態を説明する。本実施形態における表示装置は、第２実施形態における表示装置２００のデータ処理部７０をコンピュータに置き換えた形態である。図１６は、本実施形態におけるデータ処理部７０のハードウェアの構成図である。ここで、データ処理部７０を構成するコンピュータは、例えば、パーソナルコンピュータやワークステーション等の電子計算機でもよい。ＣＰＵ２１０は、ＲＯＭ２１４及びＲＡＭ２１８に格納されたプログラムに基づいて動作する。画像選択入力部６４は、操作者が入力する情報を入力装置２１２に送る。入力装置２１２は、操作者により入力された情報をＣＰＵ２１０やＲＡＭ２１８に送る。補助記憶装置２１６は、画像ファイル等のデータ、及びＣＰＵ２１０を動作させるプログラムを格納する。データ読取部２２０は、記録媒体３００からデータまたはプログラムを読み取り、ＲＡＭ２１８、補助記憶装置２１６及びＣＰＵ２１０の少なくともいずれかに提供する。
【００５８】
ＣＰＵ２１０が実行するプログラムのソフトウェアは、記録媒体３００に格納されて利用者に提供される。記録媒体３００に格納されたソフトウェアは圧縮されていても非圧縮であってもよい。ソフトウェアは、記録媒体３００から補助記憶装置２１６にインストールされ、ＲＡＭ２１８に読み出されてＣＰＵ２１０により実行される。
【００５９】
ＣＰＵ２１０が実行するプログラムのソフトウェア、すなわち記録媒体３００に格納されて提供されるソフトウェアは、図１１に示されたデータ処理部７０と同様の機能構成で、指示モジュール３２０と画像抽出モジュール３２２と付帯情報読取モジュール３２４と付帯情報抽出モジュール３２６と表示フォーマット記憶モジュール３２８と表示データ作成モジュール３３０とをプログラムモジュールとして備える。各モジュールの動作及び構成は、図１１を用いて説明したデータ処理部７０における各部の構成及び動作と同様であるので詳細な説明は省略する。記録媒体３００には、本出願で説明したデータ処理部７０の動作の一部または全ての機能を格納することができる。また、記録媒体３００には他の動作の一部または全ての機能を格納することができる。これらのプログラムは、記録媒体から直接ＲＡＭ９４に読み出されてもよい。
【００６０】
記録媒体３００としては、ＣＤ−ＲＯＭ、ＤＶＤ及びＰＤ等の光学記録媒体、フロッピーディスク闇にディスク（ＭＤ）等の磁気記録媒体、ＭＯ等の光磁気記録媒体、テープ状記録媒体、不揮発性の半導体メモリカード等を用いることができる。上記のプログラムを格納した記録媒体は、画像処理装置を製造するためにのみ使用されるものであり、そのような記録媒体の業としての製造及び販売等が本出願に基づく特許権の侵害を構成することは明らかである。
【００６１】
図１７は、第４実施形態である画像処理装置１５０の構成図である。画像処理装置１５０はラボシステムであってもよい。本実施形態の画像処理装置１５０は、図１に示した第１実施形態のデジタルカメラ１００と比較して、撮影部１０及びバッファメモリ２０に代えて読取部１５を備える。読取部１５は、記録媒体に記録された画像を入力して、処理部３０に渡す。フイルムから読み取る場合は、読取部１５には、フイルムスキャナが用いられる。、絵画や印刷物を入力する場合は、読取部１５には、画像を光学的に走査して電気信号に変換するスキャナが用いられる。処理部３０は、読取部１５から受け取った画像を画像表示部２２に表示させる。処理部３０は、また、入力された画像データを基に画像ファイルを作成する。選択入力部２４は、操作者を介して、所定の指示信号を処理部３０に与える。記録部２６は、作成された画像ファイルを記録媒体に記録する。本実施形態においては、読取部１５が画像のデータを読み取るのに対して、第１実施形態のデジタルカメラ１００では、撮影部１０は画像を撮影して画像データを入力する。この点で、本実施形態の画像処理装置１５０は、第１実施形態のデジタルカメラ１００と異なる。処理部３０の機能ブロック図及び動作は、図２を用いて説明した第１実施形態のデジタルカメラ１００における処理部３０の機能及び動作と同一であるから説明を省略する。
【００６２】
本実施形態においては、撮影した画像を一旦記録媒体に記録したのちに画像ファイルを作成することができる。また、絵画や印刷物のように撮影した画像以外の画像についても画像ファイルを作成することができる。
【００６３】
次に、第５実施形態におけるデジタルカメラ１００について説明する。本実施形態のデジタルカメラ１００は、ズーム、フォーカス、絞り量、露光時間等の撮影条件を徐々に変化させて、複数の画像を連続撮影する。デジタルカメラ１００は、絞り量や露光時間を徐々に変化させて複数の画像を連続撮影する、いわゆるオートブラケッティング撮影を行ってもよい。本実施形態におけるデジタルカメラ１００の構成は、図１に示す第１実施形態におけるデジタルカメラ１００の構成とほぼ同様である。以下、本実施形態のデジタルカメラ１００の撮影動作を図１に沿って説明する。撮影部１０は、所定の回数だけ撮影を行う。Ａ／Ｄ変換器１８は、撮影された画像をアナログ信号からデジタル信号に変換してバッファメモリ２０へ送る。バッファメモリ２０は、Ａ／Ｄ変換器１８から受け取った画像を一時的に格納する。バッファメモリ２０に格納された複数の画像は、連続撮影により得られた関連性のある画像である。
【００６４】
制御部４４は、撮影部１０に画像を撮影させる。例えば、制御部４４は、連続して撮影する回数、撮影部１０におけるレンズ１２のフォーカス及びズーム、絞り１４の絞り量や露光時間、及びＣＣＤ１６の信号出力のうち少なくとも１つを制御する。オートブラケッティング撮影においては、絞り値、露光時間、撮影する回数が制御される。
【００６５】
図２に沿って、本実施形態における処理部３０の動作を説明する。注目画像指定部３２は、バッファメモリ２０から所定の画像を抽出し、注目画像とする。バッファメモリ２０には、撮影部１０によって連続撮影された複数の画像が格納されているので、注目画像指定部３２は、格納された画像から１つ画像を抽出する。バッファメモリ２０は、制御部４４から受け取った撮影条件をさらに格納してもよい。この場合、注目画像指定部３２は、バッファメモリ２０から撮影条件を抽出してもよい。関連画像指定部３４は、バッファメモリ２０に格納された注目画像以外の画像を抽出する。バッファメモリ２０に格納された複数の画像は全て関連性を有する画像であるから、その中の１つである注目画像以外の画像を関連画像として自動的に抽出することができる。関連画像指定部３４は、さらに撮影条件を抽出してもよい。ファイル名付与部３６は、注目画像及び関連画像にファイル名を与える。縮小画像生成部３８は、入力された画像の画像サイズを縮小して縮小注目画像及び縮小関連画像を生成する。
【００６６】
画像ファイル生成部４０は、縮小注目画像のデータ及び縮小関連画像のデータを付帯情報として注目画像のデータに含ませて注目画像ファイルを作成する。画像ファイル生成部４０は、さらに注目画像及び関連画像の撮影条件を注目画像ファイルに付帯情報として含ませてもよい。
【００６７】
注目画像指定部３２は、撮影開始後最初に入力された画像を注目画像として抽出してもよい。この場合、関連画像指定部３４は、２回目以降に撮影された画像を抽出して、関連画像とする。従って、撮影者が注目画像を選択しなくても、自動的に注目画像ファイルを作成することができる。
【００６８】
撮影条件を徐々に変化させて連続撮影した複数の画像は、全画像を後に同一の条件で処理したり、画像同士を比較させることがあるので、まとめておかなければいけない。そこで、まとめて管理すべき複数の画像を記録する場合に、その中の１つの画像ファイルに他の画像の情報を集約させることにより、一連の画像の関連性を保持してまとめておくことができる。
【００６９】
以上のように、第１実施形態によれば、関連画像の画像内容を示すデータとして縮小関連画像を注目画像に付帯させているため、関連画像の画像内容に著しい修正が加えられない限り、縮小関連画像は関連画像の内容を示すこととなる。この点、ファイル名を用いて関連付けする従来と比べて、関連付けの整合を保ちやすくすることができる。
【００７０】
上記実施形態によれば、画像ファイル作成部４０は、関係情報及び識別情報を付帯情報として注目画像ファイルに含ませてもよい。これによって、縮小関連画像と当該縮小関連画像が示す関連画像との関連を保つことができる。
【００７１】
上記実施形態によれば、閲覧者は、画像表示部２２によって表示される複数の画面を切り換えることによって全画像を表示することができる。これによって、閲覧者は、撮影された複数の画像をまとめて閲覧することができる。閲覧者はまた、表示された複数の画像から画像を選択することができる。
【００７２】
第２及び第３実施形態によれば、閲覧者は、一覧表示用フォーマットの画面を表示させることによって、複数の画像を一度に一画面で閲覧することができる。閲覧者は、また鑑賞用フォーマットの画面を表示させることによって、複数の画像のうち１つの注目画像とその縮小関連画像とを画面全体に表示させて閲覧することができる。
【００７３】
上記実施形態によれば、鑑賞用フォーマットは、中心に注目画像を配置し、当該注目画像の上下に注目画像に対して「主」及び「従」に位置付けられる縮小画像を配置する形式であってもよい。これによって、閲覧者は、縮小関連画像の有無によって関連する画像があるかどうかを確認することができる。
【００７４】
上記実施形態によれば、鑑賞用フォーマットは、注目画像の上下に注目画像に対して「主」及び「従」に位置付けられる縮小関連画像をそれぞれ配置する形式であってもよい。これによって、閲覧者は、縮小関連画像と注目画像との位置関係から関連画像と注目画像との間の関係を容易に把握することができる。
【００７５】
上記実施形態によれば、縮小関連画像がいずれの画像を縮小した画像であるかを示す識別情報が注目画像ファイルに含まれる場合、観賞用フォーマットは、識別情報をさらに配置する形式であってもよい。これによって、閲覧者は、縮小関連画像がいずれの画像を示す画像であるかをさらに容易に把握することができる。
【００７６】
上記実施形態によれば、一覧表示用フォーマットは、複数の縮小注目画像を並べて配置し、縮小注目画像の上下に「主」又は「従」に位置付けられる関連画像の縮小関連マークをそれぞれ配置する形式であってもよい。これによって、閲覧者は、入力された複数の画像を同時に閲覧することができる。また、縮小関連マークの有無によって関連画像があるかどうかを確認することができる。縮小関連マークと縮小注目画像との位置関係から関連画像と注目画像との間の関係を把握することができる。
【００７７】
第４実施形態によれば、撮影した画像を一旦記録媒体に記録したのちに画像ファイルを作成することができる。また、絵画や印刷物のように撮影した画像以外の画像についても画像ファイルを作成することができる。
【００７８】
第５実施形態によれば、注目画像指定部３２は、バッファメモリ２０から撮影条件を抽出してもよい。関連画像指定部３４は、バッファメモリ２０に格納された注目画像以外の画像を抽出する。バッファメモリ２０に格納された複数の画像は全て関連性を有する画像であるから、その中の１つである注目画像以外の画像を関連画像として自動的に抽出することができる。
【００７９】
上記実施形態によれば、注目画像指定部３２は、撮影開始後最初に入力された画像を注目画像として抽出してもよい。この場合、関連画像指定部３４は、２回目以降に撮影された画像を抽出して、関連画像とする。従って、撮影者が注目画像を選択しなくても、自動的に注目画像ファイルを作成することができる。
【００８０】
上記実施形態によれば、まとめて管理すべき複数の画像を記録する場合に、その中の１つの画像ファイルに他の画像の情報を集約させることにより、一連の画像の関連性を保持してまとめておくことができる。
【００８１】
以上、本発明を実施の形態を用いて説明したが、本発明の技術的範囲は上記実施の形態に記載の範囲には限定されない。上記実施の形態に、多様な変更又は改良を加えることができる。その様な変更又は改良を加えた形態も本発明の技術的範囲に含まれ得ることが、特許請求の範囲の記載から明らかである。
【００８２】
【発明の効果】
上記説明から明らかなように、本発明によれば画像を対応付けて記録することができる。
【図面の簡単な説明】
【図１】デジタルカメラ１００の構成図である。
【図２】処理部３０の機能ブロック図である。
【図３】工事現場において撮影された複数の画像の関係を示す図である。
【図４】デジタルカメラ１００の背面図である。
【図５】画像表示部２２によって表示された一覧表示モードの画面を示す。
【図６】デジタルカメラ１００における画像記録方法を示すフローチャートである。
【図７】図６の画像選択段階（Ｓ１０４）における選択入力部２４の詳細な動作を示すフローチャートである。
【図８】図６の画像ファイル作成段階（Ｓ１０６）における処理部３０の詳細な動作を示すフローチャートである。
【図９】注目画像ファイルのデータ構造を示す。
【図１０】表示装置２００の構成図である。
【図１１】データ処理部７０の機能ブロック図である。
【図１２】鑑賞用フォーマットに基づいた表示データを表示した表示画面を示す。
【図１３】一覧表示用フォーマットに基づいた表示データを表示した表示画面を示す。
【図１４】表示装置２００における表示方法を示すフローチャートである。
【図１５】図１４の一覧表示用データ表示段階（Ｓ２０２）におけるデータ処理部７０の詳細な動作を示すフローチャートである。
【図１６】第２実施形態における画像処理装置１５０の構成図である。
【図１７】第３実施形態における表示装置２００のデータ処理部７０のハードウェア構成図である。
【符号の説明】
１０  撮影部
１２  レンズ
１４  絞り
１５  読取部
１６  ＣＣＤ
１８  Ａ／Ｄ変換器
２０  バッファメモリ
２２  画像表示部
２４  選択入力部
２６  記録部
３０  処理部
３２  注目画像指定部
３４  関連画像指定部
３６  ファイル名付与部
３８  縮小画像生成部
４０  画像ファイル生成部
４２  表示処理部
５０  制御部
６０  入力部
６２  データ表示部
６４  画像選択入力部
７０  データ処理部
７２  補助記憶部
７４  指示部
７８  画像抽出部
８０  付帯情報読取部
８２  付帯情報抽出部
８４  表示フォーマット記憶部
８６  表示データ作成部
９０  注目画像
９２  関連画像
９４  縮小注目画像
９６  縮小関連マーク
９８  矢印
１００  デジタルカメラ
１０２  設定ダイヤル
１０４  選択ボタン
１０６  実行ボタン
１０８  キャンセルボタン
１１０  メニューボタン
１１４  画像指定枠
１２２  読取部
２００  表示装置
１５０  画像処理装置
２１０  ＣＰＵ
２１２  入力装置
２１４  ＲＯＭ
２１６  補助記憶装置
２１８  ＲＡＭ
２２０  データ読取り部
３２０  指示モジュール
３２２  画像抽出モジュール
３２４  付帯情報読取モジュール
３２６  付帯情報抽出モジュール
３２８  表示フォーマット記憶モジュール
３３０  表示データ作成モジュール
【図１】
0004286402.tif 000002
【図２】
0004286402.tif 000003
【図３】
0004286402.tif 000004
【図４】
0004286402.tif 000005
【図５】
0004286402.tif 000006
【図６】
0004286402.tif 000007
【図７】
0004286402.tif 000008
【図８】
0004286402.tif 000009
【図９】
0004286402.tif 000010
【図１０】
0004286402.tif 000011
【図１１】
0004286402.tif 000012
【図１２】
0004286402.tif 000013
【図１３】
0004286402.tif 000014
【図１４】
0004286402.tif 000015
【図１５】
0004286402.tif 000016
【図１６】
0004286402.tif 000017
【図１７】
0004286402.tif 000018